(57)【特許請求の範囲】
【請求項１】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記複数の電気音響変換素子は縦横に所定の間隙を隔てて配列され、複数の前記光照射部が前記間隙に離散的に配置されることを特徴とする非侵襲生体情報映像装置。
【請求項２】
前記導波手段は複数の光ファイバから構成され、
前記光照射部は前記複数の光ファイバの端部から構成され、
前記複数の光ファイバの複数の端部は、前記間隙に離散的且つ２次元状に配列されることを特徴とする請求項１記載の非侵襲生体情報映像装置。
【請求項３】
前記複数の光ファイバの端部の各々は、４つの電気音響変換素子に囲まれることを特徴とする請求項２記載の非侵襲生体情報映像装置。
【請求項４】
前記複数の電気音響変換素子は、前記光の透過が可能な材料によって収納されて縦横に所定の間隙を隔てて配列され、
前記導波手段は複数の光ファイバから構成され、
前記光照射部は前記複数の光ファイバの端部から構成され、
前記複数の光ファイバの複数の端部は、当該端部より照射される光が前記材料を透過し前記被検体に照射するよう配置されることを特徴とする請求項１記載の非侵襲生体情報映像装置。
【請求項５】
前記複数の光ファイバの複数の端部から順番に光を前記被検体に照射するための光走査手段をさらに備えることを特徴とする請求項２または請求項４のいずれか１項に記載の非侵襲生体情報映像装置。
【請求項６】
前記受信手段は、前記光の照射により発生する音響波に対応する受信信号を、前記光を照射した光ファイバの端部に近傍の所定数の電気音響変換素子の電気信号から生成することを特徴とする請求項５記載の非侵襲生体情報映像装置。
【請求項７】
前記端部が所定距離以上離間する２以上の光ファイバの端部から光を同時に照射するための光走査手段をさらに備えることを特徴とする請求項２または請求項４のいずれか１項に記載の非侵襲生体情報映像装置。
【請求項８】
前記受信手段は、前記光の照射により発生する音響波に対応する受信信号を、前記光を照射した光ファイバの端部に近傍の所定数の電気音響変換素子の電気信号から生成することを特徴とする請求項７記載の非侵襲生体情報映像装置。
【請求項９】
前記複数の光ファイバの複数の端部から一斉に光を照射することを特徴とする請求項２または請求項４のいずれか１項に記載の非侵襲生体情報映像装置。
【請求項１０】
前記受信手段は、前記光ファイバ各々の端部に近傍の所定数の電気音響変換素子の電気信号から前記光ファイバ各々の端部に対応する受信信号を生成することを特徴とする請求項９記載の非侵襲生体情報映像装置。
【請求項１１】
前記光ファイバの端部からの光の照射と前記光の照射により発生する音響波の前記電気音響変換素子による検出とによる前記生体機能に関するボリュームデータを生成するための光音響走査と、前記電気音響変換素子による超音波の送信とエコーの検出とによる前記組織形態に関するボリュームデータを生成するための超音波走査とは、交互に行われることを特徴とする請求項２または請求項４のいずれか１項に記載の非侵襲生体情報映像装置。
【請求項１２】
前記前記生体機能に関するボリュームデータを生成するための前記光ファイバの端部からの光の照射と、前記組織形態に関するボリュームデータを生成するための前記電気音響変換素子による超音波の送信とは、交互に行われることを特徴とする請求項２または請求項４のいずれか１項に記載の非侵襲生体情報映像装置。
【請求項１３】
前記信号処理手段は、前記生体機能に関するボリュームデータと前記組織形態に関するボリュームデータとから同一断面に関する生体機能画像データと組織形態画像データとをそれぞれ生成することを特徴とする請求項１記載の非侵襲生体情報映像装置。
【請求項１４】
前記生体機能画像データは前記組織形態画像データと同一画面に並べて表示される若しくは前記生体機能画像データ又は前記組織形態画像データのうち一方を表示することを特徴とする請求項１３記載の非侵襲生体情報映像装置。
【請求項１５】
前記生体機能画像データは前記組織形態画像データに重畳されて表示されることを特徴とする請求項１３記載の非侵襲生体情報映像装置。
【請求項１６】
前記光は、前記複数の光照射位置から順番に照射されることを特徴とする請求項１記載の非侵襲生体情報映像装置。
【請求項１７】
前記光は、前記複数の光照射位置から一斉に照射されることを特徴とする請求項１記載の非侵襲生体情報映像装置。
【請求項１８】
前記光は、前記複数の光照射位置の中の離散的な所定数の光照射位置から同時に照射されることを特徴とする請求項１記載の非侵襲生体情報映像装置。
【請求項１９】
前記光の照射と前記超音波の送信とは交互に行われることを特徴とする請求項１記載の非侵襲生体情報映像装置。
【請求項２０】
前記信号処理手段は、
前記電気音響変換素子により出力される電気信号を入力し、前記照射光に起因する音響波に基づいてボリュームに関する第１の画像データを生成する第１の画像データ生成手段と、
前記電気音響変換素子により出力される電気信号を入力し、前記送信超音波に起因する音響波に基づいて前記ボリュームに関する第２の画像データを生成する第２の画像データ生成手段と、
前記第１の画像データ及び前記第２の画像データを表示する表示手段と、を備えることを特徴とする請求項１記載の非侵襲生体情報映像装置。
【請求項２１】
前記送信手段は、前記電気音響変換素子と一部共通に用いられることを特徴とする請求項１記載の非侵襲生体情報映像装置。
【請求項２２】
前記光の波長は、５３０ｎｍから１３００ｎｍの間のスペクトル域に含まれることを特徴とする請求項１に記載の非侵襲生体情報映像装置。
【請求項２３】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記光は、前記複数の光照射位置から順番に照射されることを特徴とする非侵襲生体情報映像装置。
【請求項２４】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記光は、前記複数の光照射位置から一斉に照射されることを特徴とする非侵襲生体情報映像装置。
【請求項２５】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記光は、前記複数の光照射位置の中の離散的な所定数の光照射位置から同時に照射されることを特徴とする非侵襲生体情報映像装置。
【請求項２６】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記光の照射と前記超音波の送信とは交互に行われることを特徴とする非侵襲生体情報映像装置。
【請求項２７】
特定波長成分を含む光を発生する光発生部と、
前記光発生部が発生する光を被検体内に照射する光照射部と、
前記光発生部により発生される光を前記光照射部に導く導波手段と、
前記被検体からの音響波を電気信号に変換する２次元状に配列された複数の電気音響変換素子と、
前記複数の電気音響変換素子を駆動して超音波を前記被検体に送信する送信手段と、
前記複数の電気音響変換素子により変換された複数の電気信号から受信指向性を有する受信信号を生成する受信手段と、
前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、
前記光照射部は、前記複数の電気音響変換素子とともに共通のボディインターフェースに形成され、
前記信号処理手段は、
前記電気音響変換素子により出力される電気信号を入力し、前記照射光に起因する音響波に基づいてボリュームに関する第１の画像データを生成する第１の画像データ生成手段と、
前記電気音響変換素子により出力される電気信号を入力し、前記送信超音波に起因する音響波に基づいて前記ボリュームに関する第２の画像データを生成する第２の画像データ生成手段と、
前記第１の画像データ及び前記第２の画像データを表示する表示手段と、を備えることを特徴とする非侵襲生体情報映像装置。
【発明の詳細な説明】
【技術分野】
【０００１】
本発明は、被検体内部に照射された光のエネルギーに基づいて発生する音響信号を収集して被検体の生体機能情報を映像化する非侵襲生体情報映像装置及び非侵襲生体情報映像方法に関する。さらに具体的には、検査を受ける被検者に照射した光のエネルギーから生成したものと、検査を受ける被写体に照射した超音波から生成した超音波エコー画像の二つの聴覚映像を撮影して重ねる方法と装置に関し、二つの画像を重ねることにより、被検者の組織の中の形態的な特徴に対する物質濃度の分布を知ることができるものである。
【背景技術】
【０００２】
被検体の血液や細胞液などの体液、あるいは生体組織に含まれる物質成分の濃度を測定する生体情報計測法は、健康管理、あるいは治療効果の判定等において従来から行われてきた。この物質成分の濃度計測を目的とした体液の成分分析においては、まず採血によって体液を体外に取り出す必要があり、従って、この方法は被検者に対して皮膚の損傷にともなう多大な苦痛を与えると共に、被検者や作業者を生物災害汚染の危険にさらすことになる。
【０００３】
このような従来の問題点に対して、数多くの特許と新聞の記事が、人間の被検者の組織の中の検体濃度に関する情報を得る非侵襲的方法について説明している。これらの方法のうちの１つに“光音響分光分析法”がある。光音響分光分析法では、この光音響分光分析法では、所定の波長をもつ可視光、近赤外光、又は中間赤外光を被検体に照射した際に、被検体内の血液中に含まれるグルコースやヘモグロビンなどの特定物質がこの照射光のエネルギーを吸収した結果生じる音響波を検出して、その特定物質の濃度を定量的に計測するものである。これに関しては、米国特許第５，３４８，００２号、欧州特許第９８３８９０４Ａ１、欧州特許第０２１５７７６Ａ１号では、光音響測定を使って人間の組織内の物質を非侵襲的に判定する方法について開示している。光は可視光でも、赤外線でも、あるいは中間赤外線でもよい。
【０００４】
非侵襲生体情報計測の対象となる物質として上記のグルコースやヘモグロビンの他にコレステロール、中性脂肪、ビリルビン、コラーゲンなどがある。これらの中から最適な物質を選択し、その物質において吸収が最大となる光波長を用いた光音響分光分析による皮膚癌や乳癌などの診断は、近年、その臨床的有用性が明らかになりつつあり、更に、この新しい分光分析技術を適用し、上記物質の濃度分布を２次元画像として映像化する画像診断法に対しての期待も高まってきている。
【０００５】
従来の非侵襲的なグルコース測定法は、被検体の皮膚表面などに異なる波長の近赤外光を照射し、このとき得られる音響波を演算処理することによりグルコース濃度を測定する方法がある（例えば、特許文献１および特許文献２参照。）。
【０００６】
また、従来の光音響分光分析法では、音響波の検出にマイクロフォンやジルコン−チタン酸鉛系セラミックス（ＰＺＴ）等の圧電素子を用いる方法が提案されている（例えば、特許文献３および特許文献４参照。）。
【０００７】
ヘモグロビンやグルコースに加え、光音響分光分析法を使って、コレステロール、天然脂肪、ビルルビン、コラーゲンなどのような人間の組織の中の他の検体を判定することもできる。光音響分光分析法の結果に基づく皮膚がんや乳がんの診断が、医療分野で有効であることが最近証明された。光音響分光分析法は、これらの物質から選択した適当な物質と、選択した物質がもっとも吸収しやすい波長を有する光を使用する。さらに、これらの物質の濃度の分布を表す二次元の画像を提供する診断方法の発明に対する期待がますます高まっている。
【０００８】
光音響分光分析法は、組織内の物質濃度を測定するために使用するのに対し、超音波画像は、人間の器官の中の嚢胞やしこりのような形態的特徴の存在を判定する場合に広く使用されてきた。人間の組織の中の物質の分布と形態的特徴を組み合わせることにより、組織をより細かく特徴付けられると共に、悪性腫瘍をより正確に診断でき、異常な病巣領域の限定をより正確に行ってこれらの領域の外科的除去に導くことができるため、よりよい診断と、改善された健康管理が実現する。
【０００９】
乳がんは、女性の主な死亡原因のひとつである。乳がんのスクリーニングと早期診断は、死亡率を削減し、健康管理の費用の抑制において非常に大きな価値を持つ。現在の方法では、異常なしこりを発見するための乳房の組織の触診と、疑わしい組織変形を探すための定期的な乳房Ｘ線撮影を行う。乳房Ｘ線写真に疑わしい箇所があると、超音波撮像を行い、さらに外科的生体組織検査を行う。これらの一連の工程は、最終的な結論に達するまでにはかなりの時間がかかる。
【００１０】
非侵襲的な光学技術により、組織内における血管の分布を判定することができるようになり、よって、組織領域内における異常血管新生によって、潜在的腫瘍の位置を知ることができる。
【００１１】
非侵襲的な光学技術には、組織内の時間分解光伝達を含む。もう一つの方法は、組織内を光子密度波動の伝播に伴う変調と位相角の変化を測定するものである。これらは、いくつかの新聞記事で紹介された（Ｂ．チャンス“血液及び血液酸化の定量化に連続的位相変調パルス光を使った近赤外線画像”Advances in Optical Biopsy and Optical Mammography, R.Alfano ed, Annals of the New York Academy of Sciences 1998； 第８３８巻、２９〜４５頁、Ｓ．ファンティーニ他による“周波数領域光学乳房撮影法；エッジエフェクト修正”Medical Physics 1996”；  第２３巻、１〜６頁、Ｍ．Ａ．フランセッチーニ他“周波数領域技術が光学的乳房撮影法を進化させる；始めての医療結果”Proceedings of the National Academy of Sciences USA, 1997；第９４巻、６４６８〜６４７３頁（１９９７年））。これらの方法では、画像変換の不正確性と乳房などの体の部位の縁部に近い領域における画像のゆがみが問題となっている。
【００１２】
超音波、ＣＡＴ走査、Ｘ線、ＭＲＩを含む従来の撮像方法は、ヘモグロビンの分布を示さずに、体の部位、この場合は胸の形態を示す。さらに、ＭＲＩ及びＣＡＴ走査は、大型で高価な機器であり、容易に変形させることはできない。
【００１３】
形態的画像と形態的特徴における物質の分布を利用した診断方法及び装置により、よりよい診断が行えるようになる。
【００１４】
光音響撮像を使って胸の組織における検体の分布を判定する方法については、Ａ．Ａ．オラエフスキ他による“胸のレーザ光音響撮像：がんによる血管形成の検出”SPIE Proceedings 1999；第３５９７巻、３５２〜３６３頁、及びＡ．Ａ．オラエフスキ他による、“血液の可視化のための光音響撮像と乳がんの診断”SPIE Proceedings 2002；第４６１８巻、８１〜９４頁で説明している。また、米国特許第５，８４０，０２３号では、“医療診断用の光音響撮像”を開示しており、欧州特許第０１／１０２９５号では、“血液の酸化の光音響による監視”、そして米国特許第６，３０９，３５２Ｂ１では、“組織の特性の変化の実時間光音響監視”においても説明している。
【００１５】
オラエフスキー他は、光音響撮像のみを使用して超音波撮像とは組み合わせていない。彼らは、位置合わせした超音波振動子を使用して検出される光音響及び超音波画像の組み合わせについては教示していない。この方法によると、組織の体積弾性率に対する形態学的特性の影響により血管画像がゆがむ可能性がある。
【００１６】
組織における検体分布の画像を生成するための光学的方法の他の応用については、Ｑ．Ｚｈｕ他による“超音波と光学を組み合わせた断層撮影画像” SPIE Proceedings 1999；第３５７９巻、３６４〜３７０頁と、Ｑ．Ｚｈｕ他による“良性の組織変形と悪性の組織変形の区別における超音波への付随物としての光学的撮像” SPIE Proceedings 1999；第３５７９巻、５３２〜５３９頁においても説明している。Ｚｈｕ他は、超音波撮像を使用して組織における形態学的特性を定義し、周波数領域撮像を適用して血管新生、例えばヘモグロビンの分布を判定する。光ファイバー及び光電子増倍管は光学的方法の検出器として使用して、超音波振動子は、最適さにおいては劣る血管新生画像と形態学的画像の位置合わせによって超音波撮像を行うために使用する。位置合わせした超音波振動子を使って検出する光音響及び超音波画像の組み合わせについては教示していない。
【００１７】
これに対して、近年、この光音響効果を乳癌の診断に適用した場合の映像法についての研究が進められている（例えば、非特許文献１参照。）。図１４はこの非特許文献１に記載されている光音響画像データの収集システム１００であり、パルス状の光を発生するレーザ発生器１０１と、この光パルスを被検体の乳房１０２に供給する光ファイバ１０３と、この光ファイバ１０３に対向させて配置される凹面状の配列型電気音響変換素子１０４と、光パルスの送信制御や音響波の収集、更には画像再構成を行うコンピュータシステム１０５から構成されている。この光ファイバ１０３と配列型電気音響変換素子１０４の間に乳房２を挿入した後、光ファイバ１０３から乳房１０２の内部組織に光（レーザ光）を照射することによって、内部組織の血液成分にて新たに発生する音響波を配列型電気音響変換素子１０４によって受信する。
【００１８】
この方法によれば、所定の光波長による光音響効果により、例えば血中のヘモグロビンの濃度が他の物質成分と比較して感度よく計測できる。従って、血流量が正常組織より増大している乳癌などの腫瘍組織に対して得られる光音響画像は、従来行われてきた超音波診断装置やＸ線装置あるいはＭＲＩ装置などによって得られる画像より優れた検出能を有する可能性がある。これは、血管の数である血管新生と血管の流量が、腫瘍の中の高代謝活性に対応するために正常な組織より腫瘍組織内の方が高くなっているためである。腫瘍とその周りの血管が増えると、血管新生がより頻繁に起こるようになる。腫瘍の中の新しい血管の生成は血管形成として知られている。
【特許文献１】特公平３−４７０９９号公報
【特許文献２】特公平５−５８７３５号公報
【特許文献３】特開平１０−１８９号公報
【特許文献４】特開平１１−２３５３３１号公報
【非特許文献１】Alexander A,et.al：Laser optoacoustic imaging of breast cancer in vivo, Proc.SPIE , Vol.4256: pp.6-15,2001.
【発明の開示】
【発明が解決しようとする課題】
【００１９】
しかしながら特許文献１乃至４において提案されている方法は、いずれも局所的な部位における特定物質の濃度の計測が目的であり、濃度分布の映像化技術については触れられていない。
【００２０】
また非特許文献１で述べられている方法によれば、光ファイバ１０３と配列型電気音響変換素子１０４は、乳房１０２を挟んだ状態で対向して配置されているため、操作性に問題がある。特に生体内から音響波を受信して画像化を行う場合には、配列型電気音響変換素子１０４と生体の間に介在する空気を極力排除する必要があるため、光ファイバ１０３と配列型電気音響変換素子１０４は一体化させることが望ましい。
【００２１】
更に、この音響波を用いた画像化（以下、光音響イメージング法）は、例えばヘモグロビンのように特定の成分についてのみ行われるものであり、この特定成分が無い領域からは信号が得られない。従って、例えば非特許文献１のように乳癌の検査に光音響イメージング法を適用する場合、周囲の正常乳腺組織に対する腫瘍組織の正確な位置関係が把握し難いという問題点があった。
【００２２】
従って、形態学的特性とその特性の中に物質濃度の分布の撮像を組み合わせ、一方で、画像のゆがみをなくし、撮像測定と物質分布測定に対して共通のボディインターフェースと共通の検出器を組み込むことによって病気の状態を診断する方法と装置を開発する必要がある。この方法と装置は、撮像測定と物質分布測定に対して同じ圧力、同じ空隙、同じインターフェースを適用できるはずである。
【００２３】
本発明は上記の問題点に鑑みてなされるものであり、その目的は、被検体のボリュームに関する生体機能情報を、それと同じボリュームに関する組織形態情報とともに取得することにある。
【課題を解決するための手段】
【００２４】
実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記複数の電気音響変換素子は縦横に所定の間隙を隔てて配列され、複数の前記光照射部が前記間隙に離散的に配置されることを特徴とする非侵襲生体情報映像装置が提供される。  
また実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記光は、前記複数の光照射位置から順番に照射されることを特徴とする非侵襲生体情報映像装置が提供される。 
また実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記光は、前記複数の光照射位置から一斉に照射されることを特徴とする非侵襲生体情報映像装置が提供される。 
また実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記光は、前記複数の光照射位置の中の離散的な所定数の光照射位置から同時に照射されることを特徴とする非侵襲生体情報映像装置が提供される。 
また実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記光の照射と前記超音波の送信とは交互に行われることを特徴とする非侵襲生体情報映像装置が提供される。 
また実施形態によれば、特定波長成分を含む光を発生する光発生部と、前記光発生部が発生する光を被検体内に照射する光照射部と、前記光発生部により発生される光を前記光照射部に導く導波手段と、前記被検体からの音響波を電気信号に変換する２次元状に配列された複数の電気音響変換素子と、前記複数の電気音響変換素子を駆動して超音波を前記被検体に送信する送信手段と、前記複数の電気音響変換素子により変換された複数の電気信号から受信指向性を有する受信信号を生成する受信手段と、前記光照射部から照射した光によって前記被検体内に発生する音響波に対応する受信信号を処理して生体機能に関するボリュームデータを生成し、前記超音波の送信によって前記被検体内に発生するエコーに対応する受信信号を処理して組織形態に関するボリュームデータを生成する信号処理手段とを具備し、前記光照射部は、前記複数の電気音響変換素子とともに共通のボディインターフェースに形成され、前記信号処理手段は、前記電気音響変換素子により出力される電気信号を入力し、前記照射光に起因する音響波に基づいてボリュームに関する第１の画像データを生成する第１の画像データ生成手段と、前記電気音響変換素子により出力される電気信号を入力し、前記送信超音波に起因する音響波に基づいて前記ボリュームに関する第２の画像データを生成する第２の画像データ生成手段と、前記第１の画像データ及び前記第２の画像データを表示する表示手段と、を備えることを特徴とする非侵襲生体情報映像装置が提供される。
【発明の効果】
【００２５】
本発明によれば、被検体のボリュームに関する生体機能情報を、それと同じボリュームに関する組織形態情報とともに取得することができる。
【発明を実施するための最良の形態】
【００２６】
以下、本発明の実施形態について図面を参照して説明する。本実施形態に係る非侵襲生体情報映像装置は、主に乳癌の診断を目的とした生体内のヘモグロビン分布の映像化を可能とするものであり、特に、複数の電気音響変換素子を縦横に所定の間隙を隔てて２次元配列するとともに、電気音響変換素子の間隙に光照射のための複数の光ファイバの光出力端部を２次元配置することによって光照射部と電気音響変換部とを一体化したアプリケータを構成し、その構成を使って光照射部からの光照射とそれにより発生する音響波の電気音響変換部による検出とによる２次元での光音響走査（光音響走査）により生体機能を表す３次元領域に対応するボリュームデータを取得し、それと同一領域に関する組織形態を表すボリュームデータを電気音響変換部による超音波の送信とエコーの検出とによる超音波走査（超音波走査）によって取得することにある。
【００２７】
なお、以下では光音響走査法によって発生する音波を音響波と呼び、通常の超音波走査において送受信される音波を超音波と呼んで両者を区別する。
【００２８】
図１は本実施形態における非侵襲生体情報映像装置全体の概略構成を示すブロック図であり、図２は図１の画像データ生成部２のブロック図を示す。図３は、図１のアプリケータ内の光照射部と電気音響変換部の配列構造を示す平面略図であり、図４は図１のアプリケータ内の光照射部と電気音響変換部の配列構造を示す外観及び断面図である。また、図５は図１のアプリケータの外観を示している。
【００２９】
本実施形態による非侵襲生体情報映像装置は、特定波長成分を含む光を発生する光送信部１と、この光を被検体７に照射することによって被検体内で発生する音響波を受信して生体機能に関するボリュームデータ及び任意断面の機能画像データを生成し、また被検体７に送信した超音波のエコーを受信して生体の組織形態に関するボリュームデータ及び任意断面の形態画像データを生成する画像データ生成部２と、この機能画像データおよび形態画像データを表示する表示部６と、操作者が患者情報や装置の撮影条件を入力するための操作部５と、これら各ユニットを統括的に制御するシステム制御部４とを備えている。
【００３０】
光送信部１は、波長の異なる複数の光源を備える光源部１１と、複数の波長の光を同一光軸上に合成する光合波部１２と、この光を被検体７の体表面まで導く多チャンネルの導波部１４と、この導波部１４において使用するチャンネルを切り換えて走査を行う光走査部１３と、導波部１４によって供給される光を被検体７に照射する光照射部１５とを備えている。
【００３１】
光源部１１は、異なる波長の光を発生する複数個の光源を有する。光源として、特定の波長成分又はその成分を含む単色光を発生する半導体レーザ（ＬＤ）、発光ダイオード（ＬＥＤ）、固体レーザ、ガスレーザ等の発光素子を用いる。例えば、被検体７のヘモグロビン濃度を測定する場合には、固体レーザの一種である波長が約１０００ｎｍのNd：YAGレーザや、ガスレーザの一種である６３３ｎｍのHe-Neガスレーザを用い、１０ｎｓｅｃ程度のパルス幅を有したレーザ光を形成する。生体内のヘモグロビンは、その状態（酸化ヘモグロビン、還元ヘモグロビン、メトヘモグロビン、炭酸ガスヘモグロビン、等）により光学的な吸収特性が異なるが、一般的には６００ｎｍから１０００ｎｍの光を吸収する。
【００３２】
また、ＬＤやＬＥＤ等の小型発光素子を用いる場合には、発光波長が５５０〜６５０ｎｍ程度ではＩｎＧａＡlＰ、発光波長が６５０〜９００ｎｍ程度ではＧａＡlＡｓ、発光波長が９００〜２，３００ｎｍ程度ではＩｎＧａＡｓもしくはＩｎＧａＡｓＰなどの材料を用いた素子を使用することができる。また最近では、波長が５５０ｎｍ以下で発光する ＩｎＧａＮを用いた発光素子も使用可能になりつつある。更には、波長可変可能な非線形光学結晶を用いたＯＰＯ（Optical Parametrical Oscillators）レーザを用いることもできる。
【００３３】
光合波部１２は、複数個の光源から発生する波長の異なる光を同一光軸に重ね合わせるためのものであり、それぞれの光は、まずコリメートレンズによって平行光線に変換され、次に直角プリズムやダイクロイックプリズムにより、光軸が合わせられる。このような構成により比較的小型の合波光学系とすることができるが、光通信用に開発されている市販の多重波長合波・分波器を用いてもよい。また光源部１１に前述の波長が連続的に変更可能なＯＰＯレーザ等の発生源を使用する場合は、この光合波部１２は必ずしも必要ではない。
【００３４】
導波部１４は、光合波部１２から出力される光を被検体７まで導くためのものであり、効率のよい光伝搬を行うために光ファイバや薄膜光導波路を用いるが、直接空間伝搬することも可能である。ここでは、導波部１４は、複数の光ファイバ７１から構成される。これらの複数の光ファイバ７１の中から所定の光ファイバ７１を選択して被検体７に対して選択した光ファイバ７１光を照射を行う。
【００３５】
光走査部１３は、導波部１４において配列される複数の光ファイバ７１を順次選択しながら光の供給を行うことによって被検体７に対して光による走査を行う。
【００３６】
光照射部１５は、複数の光ファイバ７１の複数の端部から構成される。光照射部１５は、電気音響変換部２３とともに、アプリケータ７０を構成する。光照射部１５を構成する複数の光ファイバ７１の複数の端部は、Ｍ×Ｎの２次元状に配列される。電気音響変換部２３を構成する複数の変換素子５４は、（Ｍ＋１）×（Ｎ＋１）の２次元状に配列される。なお、複数の光ファイバ７１の複数の端部は、電気音響変換部２３を構成する複数の変換素子５４とともに、平面、凸面あるいは凹面を形成する。ここでは平面とする。
【００３７】
非侵襲生体情報映像装置の画像データ生成部２は、音響信号と電気信号の変換を行う電気音響変換部２３と、この電気音響変換部２３を選択駆動するとともに、また電気音響変換部２３からの電気信号に所定の遅延時間を与え、整相加算を行うことにより受信指向性を有する受信信号を生成する送受信部２２と、電気音響変換部２３の選択動作や送受信部２２の遅延時間を制御する走査制御部２４と、被検体７の内部に放射する送信超音波の繰り返し周期を設定するためのレートパルスを出力するレート信号発生部２１と、送受信部２２から得られる受信信号に対して各種の処理を行う信号処理部２５とを備えている。
【００３８】
電気音響変換部２３は、図３、図４に示すように、２次元状に配列される微小な複数の変換素子５４から構成される。電気音響変換部２３は、光照射部１５からの光の照射により被検体内に発生する音響波の受信と、電気音響変換部２３から送信した超音波のエコーの受信とを兼用する。この変換素子５４は、送信時において電気的な駆動パルスを送信超音波に変換し、また受信時においては音響波やエコーを電気信号に変換する機能を有している。電気音響変換部２３は、一般に超音波プローブとも呼ばれ、小型、軽量に構成されており、多チャンネルケーブルによって後述する送受信部２２に接続される。この電気音響変換部２３は、セクタ走査対応、リニア走査対応、コンベックス走査対応等の中から診断部位に応じて選択されるが、本実施の形態ではリニア走査用の電気音響変換部２３を用いた場合について述べる。
【００３９】
送受信部２２は、図２に示すように、送信遅延回路５１と、パルサ５２と、電子スイッチ５３と、プリアンプ５５と、受信遅延回路５６と、加算器５７とを備えている。送信遅延回路５１は、送信時における送信超音波の収束距離を設定するための遅延回路であり、レート信号発生部２１から出力されるレートパルスに与え、パルサ５２に供給する。また、パルサ５２は、変換素子５４を駆動するための高圧パルスを生成する駆動回路であり、送信遅延回路５１の出力信号をトリガ信号として、例えば、波高値が数百Ｖのインパルスを形成する。
【００４０】
電子スイッチ５３は、超音波走査の送信時において、電気音響変換部２３を構成する変換素子５４の全て又は隣接する一部の変換素子５４を選択する。また、光音響走査又は超音波走査における音響波又はエコーの受信に際しては、所定数の変換素子５４を選択する。変換素子５４によって得られるそれぞれの電気信号はプリアンプ５５に供給される。一方、プリアンプ５５は、電子スイッチ５３によって選択される変換素子５４によって受信される微小な電気信号を増幅し、十分なＳ／Ｎを確保する。
【００４１】
受信遅延回路５６は、電子スイッチ５３によって選択された変換素子５４から得られる音響波又はエコーの電気信号に対して、所定の方向からの音響波、あるいはエコーの位相を一致させて収束受信ビーム形成するための遅延時間を与える。加算器５７は、遅延された複数チャンネルの電気信号を加算することによって１つの受信信号に纏める。この加算によって所定の深さからの受信信号は整相加算され、受信収束点が設定される。
【００４２】
レート信号発生部２１は、所定の繰り返し周波数によって行う超音波パルスの送信タイミングを設定するためのクロックパルスを発生する。この繰り返し周波数は、画像の視野深度に依存するが本実施の形態では４ＫＨｚ〜８ＫＨｚに設定される。
【００４３】
走査制御部２４は変換素子選択制御回路６８とビーム集束制御回路６７を備え、変換素子選択制御回路６８は電子スイッチ５３によって選択される送信時の所定数の変換素子５４および受信時の所定数の変換素子５４の位置情報を電子スイッチ５３に供給する。一方、ビーム集束制御回路６７は、所定数個の変換素子５４が形成する送信収束点および受信収束点を形成するための遅延時間情報を送信遅延回路５１および受信遅延回路５６に供給する。
【００４４】
信号処理部２５は、フィルタ６６と、対数変換器５８と、包絡線検波器５９と、Ａ／Ｄ変換器６０と画像データメモリＡ６１および画像データメモリＢ６２とを備えている。送受信部２２の加算器５７の出力は、信号処理部２５のフィルタ６６において不要なノイズを除去した後、対数変換器５８にて受信信号の振幅を対数変換し、弱い信号を相対的に強調する。一般に、被検体７からの受信信号は、８０ｄＢ以上の広いダイナミックレンジをもった振幅を有しており、これを２３ｄＢ程度のダイナミックレンジをもつ通常のＣＲＴモニタに表示するためには弱い信号を強調する振幅圧縮が必要となる。
【００４５】
なお、フィルタ６６は、帯域通過特性を有し、受信信号における基本波を抽出するモードと高調波成分を抽出するモードを有している。包絡線検波器５９は、対数変換された受信信号に対して包絡線検波を行い、Ａ／Ｄ変換器６０は、この包絡線検波器５９の出力信号をＡ／Ｄ変換し、ボリュームデータを形成する。
【００４６】
なお、このボリュームデータには、光音響走査のもとで音響波に基づいて生成される生体機能を表すボリュームデータと、超音波走査において広く行われているように、被検体７に送信した超音波のエコーに基づいて生成される組織形態を表すボリュームデータとの２種類がある。画像データメモリＡ６１は、前者の生体機能ボリュームデータを保存する記憶回路であり、画像データメモリＢ６２は、後者の組織形態ボリュームデータを保存する記憶回路である。システム制御部４の制御のもとで、画像データメモリＡ６１から任意断面のデータが読み出され、その読出しに際して空間的に補間されることにより、当該断面の生体機能画像データが生成される。システム制御部４の制御のもとで、画像データメモリＢ６２から同じ断面のデータが読み出され、その読出しに際して空間的に補間されることにより、当該断面の組織形態画像データが生成される。
【００４７】
表示部６は、表示用画像メモリ６３と変換器６４とＣＲＴモニタ６５を備えている。表示用画像メモリ６３は、ＣＲＴモニタ６５に表示する画像データを一時的に保存するバッファメモリであり、画像データメモリＡ６１からの生体機能画像データと画像データメモリＢ６２からの組織形態画像データは、この表示用画像メモリ６３において1フレームに合成される。変換器６４は、表示用画像メモリ６３から読み出された合成画像データに対してＤ／Ａ変換とテレビフォーマット変換を行い、その出力はＣＲＴモニタ６５において表示される。操作部５は、操作パネル上にキーボード、トラックボール、マウス等を備え、装置操作者が患者情報、装置の撮影条件、表示断面など必要な情報を入力するために用いられる。
【００４８】
システム制御部４は、図示しないＣＰＵと図示しない記憶回路を備え、操作部５からのコマンド信号に従って光送信部１、画像データ生成部２、表示部６などの各ユニットの制御やシステム全体の制御を統括して行う。特に、内部のＣＰＵには、操作部５を介して送られる操作者の入力コマンド信号が保存される。
【００４９】
次に、光照射部１５と電気音響変換部２３を一体化したアプリケータ７０について図３および図４を用いて説明する。なお、図４（ｂ）は図３のＡ−Ａ断面におけるアプリケータ７０の断面図を示している。各変換素子５４は、圧電素子７３−３と、圧電素子７３−３の上面と下面とにそれぞれ装着された駆動信号の供給及び電気信号取り出しのための電極７３−１、７３−２とからなる。電極７３−２には、超音波の送受信を効率良く行うための音響マッチング層７４が設けられ、更に、その表面は保護膜７５によって覆われている。
【００５０】
複数の変換素子５４は、長さｓ、厚みｔ、幅ａを有する。複数の変換素子５４は、支持台７２上に縦横に一定の間隙ｄを隔てて２次元状に配列されている。各光ファイバ７１は、それを中心とした近傍４個の変換素子５４に囲まれるように、複数の光ファイバ７１が変換素子５４の間隙に２次元状に配列されている。
【００５１】
図５はアプリケータ７０の外観図であり、このアプリケータ７０の先端に配置される電気音響変換部２３と光照射部１５は、被検体７の表面に接触し、照射光の照射と音響波の受信および超音波の送受信が行われる。一方、光照射部１５に繋がる光ファイバ７１と変換素子５４の電極７３に接続される同軸ケーブル７７は被覆７６によって纏められ、この光ファイバ７１の端部は光走査部１３に、また同軸ケーブル７７の他の端部は画像データ収集部２の送受信部２２に接続されている。
【００５２】
図６（ａ）、図６（ｂ）、図７、図８（ａ）には、本実施形態における基本的な光音響走査の手順を示している。なお、説明の便宜上、光ファイバ７１は、Ｍ×Ｎのマトリクスに配列され、それぞれの端面の中心位置をその配列順に沿って（１，１）、（１，２）、…、（Ｍ，Ｎ）と略記する。操作者は、光音響走査における必要な画像撮影条件を操作部５において設定する。画像撮影条件には、フレーム数、視野深度、レート周波数、画像表示方法の他にアプリケータ７０の各種仕様などがある。更に操作者は、光音響走査に用いる光波長など光源に関する諸条件の設定についても同時に行い、設定されたこれらの撮影条件をシステム制御部４の図示しない記憶回路に保存する。
【００５３】
上記の各種撮影条件の設定が終了したならば、操作者は、アプリケータ７０を被検体７の所定の位置に設置した後、光音響走査における光音響画像データの収集開始コマンドを操作部５より入力する。
【００５４】
この光音響画像データの収集開始コマンドを受けたシステム制御部４は、内部の記憶回路から光源に関する設定条件を読み出し、この設定条件に従って光源部１１より、例えばNd・YAGレーザを選択して１０００ｎｍの波長を有する単色光を発生する。光源部１１で発生した単色光は、光合波部１２を介して光走査部１３に送られる。
【００５５】
光走査部１３は、図７、図８（ａ）に示すように、複数の光ファイバ７１を一本ずつその配列順に沿って順番に一定の周期で選択する。選択された光ファイバ７１は、この光をアプリケータ７０の光照射部１５まで導く。光は、光ファイバ７１の端部から被検体７に照射される。この場合、光ファイバ７１から照射された単色光は、図６（ａ）の矢印で示すように、アプリケータ７０の被検体接触面に対してほぼ垂直、つまり光ファイバ７１及び変換素子５４の２次元配列平面に対して垂直な方向に照射される。
【００５６】
被検体７の血液中のヘモグロビンは、照射された単色光のエネルギーを吸収して分子衝突による熱の生成を引き起こし、この熱の拡散に伴う圧力変化によって音響波を発生する。このとき発生する音響波は、１００ＫＨｚ〜２ＭＨｚの広帯域スペクトル成分を有するパルス波である。光音響効果では、計測しようとする物質によって照射する光の波長が決定され、この波長の光による照射の結果得られる音響波の大きさから、その成分量を定量化することが可能となる。すなわち、上記Nd・YAGレーザにより１０００ｎｍの波長を有する単色光を被検体７に照射することによって、照射部位におけるヘモグロビンの量を定量的に計測することができる。
【００５７】
光照射により発生する音響波は、その照射位置の近傍に配置されている所定数の変換素子５４で検出される。例えば、図６（ｂ）に示すように、音響波は、光照射位置を中心とする近傍４個の変換素子５４で検出される。音響波を同時検出する変換素子の数は４個に限定されるものではない。例えば、図９（ａ）、図９（ｂ）に示すように、音響波は、例えば光照射位置を中心とする近傍６×６個の変換素子５４で検出される。
【００５８】
実際的には、アプリケータ７０の被検体接触面から距離Ｌの部位の血管領域において発生する音響波に対して、システム制御部４は、その記憶回路に予め保存されている走査情報の中の変換素子５４の選択情報を走査制御部２４の変換素子選択制御回路６８に供給し、また受信時の収束点距離設定に関する遅延時間情報を同じ走査制御部２４のビーム収束制御回路６７に供給する。
【００５９】
電子スイッチ５３は、変換素子選択制御回路６８の制御信号に基づいて、アプリケータ７０の変換素子５４の中から近隣の上記４個の変換素子５４を選択する。一方、受信遅延回路５６は、ビーム収束制御回路６７の制御信号に基づいて、これらの４個の変換素子５４によって得られた電気信号各々に対して、受信収束点が、当該光照射位置を通り、光ファイバ７１及び変換素子５４の２次元配列平面に対して垂直な直線上であって、光ファイバ７１及び変換素子５４の表面から所定深度離れた位置に設定するために必要な遅延時間を与える。
【００６０】
すなわち、変換素子選択制御回路６８は、システム制御部４から供給される変換素子５４の選択情報に基づいて、光照射位置を中心とする近隣４個の電子スイッチ５３をＯＮ状態にし、光照射時に選択して用いた光ファイバ７１を中心として近傍４個の変換素子５４を受信用の変換素子５４として選択する。被検体７の内部で発生した音響波は、変換素子５４で電気信号に変換された後、電子スイッチ５３を介してプリアンプ５５に供給され、所定の振幅に増幅されて受信遅延回路５６に入力される。
【００６１】
例えば、Ｋ個のチャンネルから構成される受信遅延回路５６において、ｋ番目の受信遅延回路５６は、ｋ番目の変換素子５４によって得られる受信信号に対して次式で示す遅延時間τ（ｋ）を与える。
【００６２】
τ（ｋ）＝ｄ２（Ｋ−１）２−（２ｋ−Ｋ−１）２／８ＣＦo      ・・・（１）
但し、ｄは変換素子５４の配列間隔、Ｃは被検体７の音響波伝播速度（約１５００ｍ／ｓｅｃ）、Ｆoは受信収束点距離であり、Ｆo＝Ｌに設定すれば変換素子５４によって得られる受信信号に対して上記の遅延時間が与えられた後加算器５７において加算することにより、距離Ｌにおいて発生した音響波の位相を一致させて加算合成することできる。
【００６３】
光が被検体７に照射されてから音響波が変換素子５４によって受信されるまでの時間は距離Ｌの大きさに比例する。従って、音響波の受信において上記（１）式における受信収束点距離Ｆｏの値を時間的に増加させる、いわゆるダイナミック収束法が適用でき、選択された光ファイバ７１からの光照射によって発生する音響波は、深さ（距離）によらず、常に収束状態で受信されるため、これらの受信信号から良好な感度と空間分解能を有した光音響によるボリュームデータを生成することが可能となる。
【００６４】
加算器５７において合成された変換素子５４の電気信号は、指向性を持った受信信号として信号処理部２５のフィルタ６６においてノイズ成分が除去された後、対数変換器５８および包絡線検波５９において振幅圧縮と検波がなされ、更にＡ／Ｄ変換器６０にてデジタル信号に変換されて、光音響画像データ用の画像データメモリＡ６１に保存される。
【００６５】
上記の光照射と音響波の検出は、光照射位置を移動しながら、一通り順番に繰り返される。光照射と音響波の検出は、Ｍ×Ｎ回繰り返される。それによって１ボリューム分の光音響走査が終了する。この１ボリューム分の光音響走査は、繰り返される。
【００６６】
図８（ｂ）、図１０は、１ボリューム分の光音響走査に要する時間を短縮するための走査手順を示している。２次元状に配列された光ファイバ７１及び変換素子５４は、複数のセクションに分けられる。図８（ｂ）、図１０では、２次元状に配列された光ファイバ７１及び変換素子５４は、４つのセクションＡ，Ｂ，Ｃ，Ｄに分けられる。セクションＡに含まれる光ファイバ７１の本数及び変換素子５４の個数は、セクションＢ，Ｃ，Ｄ各々に含まれる光ファイバ７１の本数及び変換素子５４の個数と同数である。ここでは、各セクションには、ｍ×ｎの光ファイバ７１が含まれると仮定する。
【００６７】
各セクション内では、図８（ａ）で示した操作手順と同じ操作手順で、光照射及び音響波の検出が、光照射位置を移動しながら、ｍ×ｎ回繰り返される。つまり、一定の周期で複数の光ファイバ７１の中から１本の光ファイバ７１がその配列に従って順番に選択される。それにより光照射位置が移動しながら被検体に光が繰り返し照射される。それぞれの光照射により被検体内に発生する音響波は、次の光照射までの期間内に、それぞれの光照射位置を中心とする近傍４個の変換素子５４により検出される。検出された４つの電気信号は、当該光照射位置の真下の深度Ｌの位置で受信収束点を形成するために必要な遅延時間を与えられ、加算される。
【００６８】
４つのセクションで、上記光照射及び音響波検出が同期して繰り返される。セクション間での音響波のクロストークは、セクション間で同時に照射される光の光照射位置の間に一定の距離を保つことで、低減又は回避される。換言すると、セクション間での音響波のクロストークを低減又は回避するために必要な距離に従って、セクションサイズ（ｎ×ｍ）が決定されている。
【００６９】
図１１には、１ボリューム分の光音響走査に要する時間をさらに短縮する方法を示している。Ｍ×Ｎの２次元状に配列された全ての光ファイバ７１から同時に光が被検体に照射される。光照射直後に、音響波が、（Ｍ＋１）×（Ｎ＋１）の２次元状に配列された全ての変換素子５４で検出される。送受信部２２は、検出された（Ｍ＋１）×（Ｎ＋１）個の電気信号から、光照射位置（１，１）〜（Ｍ，Ｎ）にそれぞれ対応するＭ×Ｎ個の受信信号を生成する。各受信信号は、それぞれの光照射位置を取り囲む４個又はそれ以上の変換素子５４の電気信号（実際にはディジタルデータ）に遅延時間を与えて加算することにより生成される。
【００７０】
図１２（ａ）に示すように、１ボリューム分の光音響走査は、１ボリューム分の超音波走査と、交互に行われる。複数の超音波走査線は、複数の光照射位置に対してそれぞれ対応する。複数、ここではＭ×Ｎ本の超音波走査線は、（１，１）〜（Ｍ，Ｎ）の位置を通り、光ファイバ７１及び変換素子５４の２次元配列平面に対して垂直な方向に設定される。送信収束点及び受信収束点は、光音響走査における受信収束点と同じ深度Ｌに設定される。１ボリューム分の超音波走査は、１ボリュームを構成するＭ×Ｎ本の超音波走査線に対して超音波送信及びエコー受信を繰り返すことにより完了する。
【００７１】
このように１ボリューム分の光音響走査と、１ボリューム分の超音波走査とが同じボリュームに対して交互に行われることにより、時間が接近した、つまり１ボリューム分の走査時間だけずれた、生体機能ボリュームデータとそれと同じボリュームに関する組織形態ボリュームデータとが取得され得る。
【００７２】
なお、受信収束点は変換素子配列面に対する垂線上に設定される場合について述べたが、変換素子５４から得られる受信信号の遅延時間制御によって収束点の位置は自由に設定できる。
【００７３】
光音響走査と超音波走査は、次のように変形可能である。光音響走査と超音波走査は、図１２（ａ）では、ボリューム単位で交互に行われた。しかし、光音響走査と超音波走査は、図１２（ｂ）に示すように、走査線単位で交互に行うようにしてもよい。光音響走査による第１の位置で光を照射し音響波を検出した後、その同じ第１の位置に対応する超音波走査線に対して超音波を送信し、エコーを受信する。次いで光音響走査による隣の第２の位置で光を照射し音響波を検出した後、その同じ第２の位置に対応する超音波走査線に対して超音波を送信し、エコーを受信する。このような動作を繰り返すことにより、所定方向におけるデータ間の収集タイミングのズレが大幅に短縮されるため、特に動きの速い臓器あるいは血液が計測の対象の場合であっても、生体機能ボリュームデータとそれと同じボリュームに関する組織形態ボリュームデータとを、ほぼ同じ時相で計測可能となる。なお、例えば光音響走査において受信感度を改善するために送信の光量を増大させる場合には、生体安全確保のために単位時間当たりの照射回数を低減させる必要があるため、図１２（ｄ）に示すように単位時間当たりの光音響走査法の走査数を超音波走査の走査数より低減させることが望ましい。
【００７４】
図１２（ｃ）に示すように、光音響走査の光照射及び音響波検出と、超音波走査の超音波送信及びエコー受信とを同時に行うようにしてもよい。データ間の収集タイミングのズレがないため、上記走査単位の走査方法より更に動きの速い計測対象に対して正確な計測が可能となる。なお、この同時走査方法において、光音響走査における音響波の周波数と、超音波走査における超音波の周波数が同じ場合には、受信信号から音響波成分とエコー成分とを分離することは不可能となるが、信号処理部２５のＡ／Ｄ変換器６０の出力は、直接表示用画像メモリ６３に保存すればよいため、画像データメモリＡ６１および画像データメモリＢ６２は削除でき、更に光音響画像データと超音波画像データの合成処理も不要となる。一方、離間した２つの周波数で振動可能な変換素子５４は、音響波成分とエコー成分とを分離することを可能にする。この種の変換素子５４は、特開昭６１−１００２３７号公報、あるいは特開昭６２−３９７６１号公報において記載されているように厚みの異なる２枚の圧電素子を接合することによって２種類の周波数の超音波を受信することができる。
【００７５】
したがって、例えば、光音響走査法の音響波の周波数を１．５ＭＨｚ、超音波走査の超音波の周波数を３Ｍｚに設定することによって、これらの信号が同時に前記変換素子５４によって受信されても、信号処理部２２のフィルタ６６によって弁別することによって光音響画像データと超音波画像データを独立に生成することが可能となり、更にカラーによって識別して表示部６のＣＲＴモニタ６５において表示することができる。
【００７６】
表示に際しては、図１３に示すように、操作者により指定された断面のデータが、画像データメモリＡ６１に記憶されている生体機能ボリュームデータから読み出され、その読出しに際して空間的に補間されることにより、当該指定断面の生体機能に関する断面像データが生成される。同じ断面のデータが、画像データメモリＢ６１に記憶されている組織形態ボリュームデータから読み出され、その読出しに際して空間的に補間されることにより、当該指定断面の組織形態に関する断面像データが生成される。生体機能に関する断面像データは、それと同じ断面の組織形態に関する断面像データと共に、表示用画像メモリ６３において１フレームに並べられ、変換器６４を経てＣＲＴモニタ６５において表示される。または、生体機能に関する断面像データは、カラーマップに変換され、組織形態に関する断面像データと、表示用画像メモリ６３において重畳され、ＣＲＴモニタ６５において表示される。
【００７７】
以上述べたように、光音響画像と超音波画像が同一の変換素子５４を用いて収集できるため、それぞれの画像を精度よく重畳表示することが可能となる。特に、光音響画像の生成においては、多くの変換素子５４から得られる音響受信信号の位相を合わせて加算する、いわゆる整相加算方式を行っているため、例え、被検体７に照射された光が散乱あるいは拡散しても音響波の発生源を正確に捉えることが可能となる。
【００７８】
なお、上述においては、光音響画像データの収集後に超音波画像データの収集を行ったが、これらの画像データの収集順序については限定されない。また、光音響画像データと超音波画像データをそれぞれ複数枚収集して前者を画像データメモリＡ６１に、また後者を画像データメモリＢ６２に一旦保存し、この画像データメモリＡ６１および画像データメモリＢ６２から所望の画像を選択して表示用画像メモリ６３において合成してもよい。
【００７９】
また、光音響画像データを収集する場合、１つの物質に対して複数の波長の光を用いて、その成分量を求めてもよい。例えば、ヘモグロビンの成分量を計測する場合、前述の通り生体内のヘモグロビンは６００ｎｍから１０００ｎｍの光を吸収するが、６００ｎｍ近傍では酸化ヘモグロビンに比べ還元ヘモグロビンの吸収が相対的に大きく、１０００ｎｍ近傍では還元ヘモグロビンに比べ酸化ヘモグロビンの吸収が大きい。この様な吸収特性の違いを利用する事により、生体内中の酸化ヘモグロビンと還元ヘモグロビンを分離して定量化したり、総ヘモグロビン量を求めることができる。上記の１０００ｎｍのNd：YAGレーザや、６３３ｎｍのHe-Neガスレーザを用い、それぞれの波長によって得られる計測結果を異なる色で識別して表示してもよい。この場合、光音響画像は超音波画像と重畳表示してもよいが、並べて表示することも可能である。
【００８０】
また、同じ被検体７の部位に対して、コレステロールやグルコースなど、ヘモグロビン以外の物質についても最適な波長の単色光を用いて同様な手順で計測を行ない、その計測結果とヘモグロビンの計測結果を異なる色で識別して表示してもよい。この場合も光音響画像は超音波画像と重畳表示してもよいが、並べて表示することも可能であり、その表示方法は限定されない。
【００８１】
また、超音波画像生成法にハーモニックイメージングを採用しても良い。光音響走査法における音響波の周波数スペクトラムは、例えば１ＭＨｚを中心周波数として２００ＫＨｚ〜２ＭＨｚの範囲に分布しており、従って、電気音響変換部２３の変換素子５４は、この周波数成分に対応した特性を有するものを用いる必要があるが、これは通常の超音波走査の中心周波数（ｆｏ：例えば３．５ＭＨｚ）と比較すると低い。
【００８２】
光音響画像データと超音波画像データの収集を同一の変換素子５４を用いて行うため、従来の超音波走査を適用して得られる超音波画像において空間分解能の劣化を招くことになる。このような問題点を改善するために、ハーモニックイメージング法を適用した超音波画像データの収集について説明する。ハーモニックイメージング法とは、被検体７の組織において生ずる超音波非線形現象を有効に利用したイメージング法であり、例えば、中心周波数がｆｏの超音波パルスを被検体７に送信した場合、被検体組織の非線型現象によって、例えば２倍の高調波成分（２ｆｏ）が新たに発生し、この高調波成分は、基本波成分（ｆｏ）とともに変換素子５４によって受信される。この高調波成分の発生は、被検体７の組織性状や反射部位までの伝搬距離、あるいは反射部位における超音波強度に依存する。
【００８３】
超音波走査において、被検体７に放射された送信超音波の一部は、音響インピーダンスの異なる被検体７の臓器の境界面あるいは組織にて反射する。これらの超音波は、組織の非線型特性により、中心周波数が２ｆｏの超音波パルスが新たに発生する。従って、被検体７の組織内にて反射して変換素子５４に戻る受信超音波は、送信時の中心周波数ｆｏの超音波パルス（基本波成分）と中心周波数が２ｆｏの超音波パルス（高調波成分）が混在したものとなる。
【００８４】
このときの送信超音波の周波数スペクトラムは、ｆｏを中心に分布している。これに対して受信超音波の周波数スペクトラムは、ｆｏを中心に分布する基本波成分と、２ｆｏを中心に分布する高調波成分とで構成され、一般に、高調波成分は、基本波成分に対して約２０ｄＢ小さい。因みに、この高調波の発生原因は超音波パルスの被検体組織内の伝播速度が超音波の音圧に依存するためであり、この性質のために受信信号に波形歪が生じ、高調波成分が発生することが知られている。
【００８５】
被検体７からの受信超音波は、変換素子５４において超音波から電気信号（超音波受信信号）に変換され、この超音波受信信号は、送受信部２２を介して信号処理部２５のフィルタ６６に送られる。このフィルタ６６は、２ｆｏを中心とした帯域通過特性と図示しないｆｏを中心とした帯域通過特性を有している。ハーモニックイメージング法においては、このフィルタ６６によって第２高調波成分が抽出され、その出力は、対数変換器５８、包絡線検波器５９、Ａ／Ｄ変換器６０を介して、画像データメモリＢ６２に保存される。一方、光音響走査法においては、第１の実施の形態と同様にフィルタ６６によって基本波成分が抽出され、その出力は対数変換器５８、包絡線検波器５９、Ａ／Ｄ変換器６０を介して、画像データメモリＢ６２に保存される。
【００８６】
次いで、システム制御部４は、画像データメモリＢ６２に保存された超音波画像データと、画像データメモリＡ６１に保存されている光音響画像データを読み出し、表示用画像メモリ６３において合成した後、変換回路６４を介してＣＲＴモニタ６５に表示する。
【００８７】
このようにハーモニックイメージングを採用することにより、超音波画像データは、基本波成分の２倍の周波数成分によって生成される。従って、光音響画像データと超音波画像データを同一の変換素子５４を用いて収集する場合においても解像度の優れた超音波画像に光音響画像を重畳して表示することが可能となり、更に、これらの画像データの収集と表示を同時に行うこともできるため操作性に優れた装置の提供が可能となる。
【００８８】
また、上述では、光音響走査において、照射位置を中心とした４個の変換素子５４の４つの電気信号を整相加算することにより受信信号に指向性を与えている。しかし、光ファイバ７１から光を被検体７に照射する場合、照射光は細い幅を維持したまま直進するため、強い指向性を有している。従って、音響波を受信する際の整相加算処理を行わなくても光音響画像の生成は可能となる。光ファイバ７１からの照射光によって被検体７の血液中のヘモグロビンは、照射された光のエネルギーを吸収して音響波を発生する。この音響波は光照射位置を中心とした４個の変換素子５４で電気信号に変換される。４つの電気信号は、受信遅延回路５６を実質的にパスして、遅延時間を与えられることなく、加算器５７にて加算される。受信に用いる振動子数を大幅に低減することが出来るため、端部の光ファイバ７１を有効に使用することができ、従って広い画像幅（視野幅）を得ることが可能となる。
【００８９】
図１４には本実施形態の電気音響変換部の製造方法の一例を示している。例えば０．０５ｍｍの厚さを有するフレキシブルプリント基板（ＦＰＣ）９７には、一定の間隔を隔てて複数の信号側電極９８が形成される。同様にＦＰＣ９７には、複数のグラウンド側電極９９が一定の間隔を隔てて形成される。信号側電極９８とグラウンド側電極９９にはＰＺＮＴ又はＰＺＴを圧電体とする振動子９６の信号側電極とグラウンド側電極とがそれぞれＡｕスパッタ等により電気的に接続される。隣り合う振動子９６の間隙には、例えば０．２ｍｍの直径を有する光ファイバ７１が貼り付けられる。このように構成された複数の振動子板１１１は、重ねられ、接着剤により一体に接着される。
【００９０】
この方法によれば、光ファイバにより光透過性を備えた電気音響変換部を簡易に製造することができる。
【００９１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。以下に、本実施形態の変形例を説明する。
【００９２】
上述では、変換素子５４の間隙に光ファイバ７１を配置した。この場合、各々の変換素子５４では、その間隙に光ファイバ７１が挿入されたことによって隣接の変換素子５４との間で音響的なカップリングが発生して独立な素子としての機能を低下させることがある。すなわち、この音響的なカップリングが原因となって、光音響画像および超音波画像のいずれにおいても画質劣化を招く可能性がある。そこで、図１５に示すように、光照射部１５から照射した光が、電気音響変換部２３を透過して被検体７に照射される。すなわち、電気音響変換部２３は、光の透過が可能な材料によって構成される。電気音響変換部２３の変換素子５４は、透明な圧電材料であるＰＺＮＴ単結晶ウェハを所定の厚さｔに研磨した後、この単結晶板をダイシングソーによってピッチｄで２次元状に切断し、この切断によって生じる幅ｂの間隙は光学的に透明な樹脂８０を充填して硬化する。次に、２次元に配列された単結晶の第１の面には、夫々独立した電極７３−１を、また第２の面には電極７３−２をスパッタにより形成する。更に、電極７３−２が装着された面には、音響的な音響マッチング層７４と保護膜７５を積層する。但し、音響マッチング層７４や保護膜７５にも光学的に透明な樹脂８０を使用する。また電極７３の材料には、例えば、液晶ディスプレイやプラズマディスプレイ等に用いられているＩＴＯ（indium-tin-oxide）、Ｉｎ２Ｏ３（Ｓｎ）等の透明導電性物質を用いる。このように透明導電性物質を電極７３に用い、音響マッチング層７４や保護膜７５、更に変換素子５４の間隙に充填した樹脂８０に光学的に透明な樹脂を用い、変換素子５４にも透明な圧電単結晶を使用する。これらの材料を更に透明な樹脂からなる支持台７２に固定して構成した電気音響変換部２３は、光学的に透明に構成することが可能となり、光照射部１５より照射した光は、電気音響変換部２３を透過して被検体７に照射することが可能となる。
【００９３】
なお上述では、光ファイバ７１の配列間隔は、変換素子５４の配列間隔によって決定されたが、図１５の例では、このような制約が無いため、高密度に配列することが可能となる。光ファイバ７１の配列間隔は、光音響走査における走査間隔を決定しており、従って、走査密度の高い光音響画像を得ることが可能となる。特に、照射光の指向性によって画像の空間分解能が決定される場合には、光の高密度走査により画質を改善することができる。
【００９４】
なお、図１１に示した光一斉照射の場合、図１６に示すように、１本又は数本の光ファイバ７１からなる導波部１４を介して光照射部１５から出力される拡散光を、レンズ１７９で平行光線に変換して、光透過型の電気音響変換部２３の全域に照射するようにしても良い。
【００９５】
上述の光走査部１３は、複数配列された光ファイバ７１を順次選択することによって、光照射位置の移動を行ったが、この方法によれば、導波部１４における多くの光ファイバ７１とこれらを選択する光走査部１３が必要となり、装置を複雑にする。このような照射光の形成における問題点の改善を目的として、図１７（ａ）、図１７（ｂ）に示すように、変換素子５４の配列面に平行にスリット板１７８が配置される。このスリット板１７８のほぼ中央には、一方向にスリットが開けられており、このスリットを通過した光は、変換素子５４の配列方向に対して広いビーム幅を有し、一方、この配列方向と直角なスライス方向においては細いビーム幅を有する。図１７（ｂ）に示したように、スリット板１７８の他に、光照射部１５から出力された拡散光を進行方向に対して平行ビームに形成するレンズ７９を備えている。光照射部１５に供給される光は、光源部１１あるいは光合波部１２から導波部１４によって直接導くことが可能であり、光走査部１３は不要となる。この場合の導波部１４は、光ファイバ７１に限定されず、十分なパワーが得られるものであれば１チャンネルでもよい。
【００９６】
光源部１１で発生した単色光は、例えば光ファイバ７１で構成される導波部１４によってアプリケータ７０の光照射部１５まで導かれ、その先端部より拡散して照射される。この拡散光は、レンズ１７９によって平行ビームに変換され、スリット板１７８のスリットに供給される。スリット板１７８のスリットを通過した光の配列方向のビーム幅とスライス方向のビーム幅は、スリットのそれぞれの方向における開口幅によって設定される。このスリットによってスライス方向のビーム幅が狭められた光は、光学的に透明な電気音響変換部２３を透過して図１７（ｂ）に示した被検体７の光ビーム照射範囲に照射される。被検体７の血液中のヘモグロビンは、この照射光を吸収して音響波を発生する。音響波は、スリットに対応する１列又は数列分の変換素子５４で電気信号に変換される。上述と同様に、電気信号の整相加算により、スリットに対応する一列の光照射位置に対応する複数の受信信号が生成される。スリット板１７８が往復移動している間、光は連続的又は断続的に照射され、またスリットの位置に応じた変換素子５４による音響波の検出が繰り返される。スリット板１７８が往路又は復路を移動することにより、１ボリューム分の光音響走査が完了する。
【００９７】
スリット板１７８の採用は、導波部１４における光ファイバ７１の数を大幅に削減することができ、光走査部１３を不要にすることができる。更に照射光は配列方向において連続的に照射されているため、受信時の遅延時間設定によって走査密度は自由に設定することが可能であり、光ファイバ７１を使用した場合の制約を排除することができる。
【００９８】
スリット板１７８の採用と同様な効果は、図１８に示すように、光照射部１５を短軸長の複数の光ファイバ７２から構成し、一列分の光ファイバ７２と同じ本数の光ファイバ７１から導波部１４を構成し、導波部１４を上記スリット板１７８と同様に移動する機構を設けることにより実現できる。図１８の構成では、導波部１４の断続的な移動を同期して、一列分の光ファイバ７１の中から１本の光ファイバ７１を光走査部１３で順番に選択することにより、図７に示した光音響走査を実現できる。
【００９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１００】
【図１】本発明の実施形態における非侵襲生体情報映像装置の概略構成を示すブロック図。
【図２】図１の画像データ生成部のブロック図。
【図３】図１のアプリケータ内の光照射部と電気音響変換部の配列構造を示す平面略図。
【図４】図１のアプリケータ内の光照射部と電気音響変換部の配列構造を示す外観及び断面図。
【図５】図１のアプリケータの外観図。
【図６】本実施形態における光照射と近傍４素子による音響波検出を示す図。
【図７】図６に対応する光音響順次走査を示す図。
【図８】図７の補足図。
【図９】本実施形態における光照射と近傍３６素子による音響波検出を示す図。
【図１０】本実施形態における光音響並列走査を示す図。
【図１１】本実施形態における光音響一斉走査を示す図。
【図１２】本実施形態における光音響走査と超音波走査とのバリエーションを示すタイムチャート。
【図１３】図１の信号処理部で生成される生体機能に関する画像データと組織形態に関する画像データとを示す模式図。
【図１４】図４のアプリケータ内の光照射部と電気音響変換部の配列構造の作成方法を示す図。
【図１５】図１のアプリケータの他の構造を示す断面図。
【図１６】図１のアプリケータのさらに他の構造を示す断面図。
【図１７】図１のアプリケータのさらに他の構造を示す断面図。
【図１８】図１のアプリケータのさらに他の構造を示す断面図。
【図１９】従来の光音響画像データの収集システムを示す図。
【符号の説明】
【０１０１】
１…光送信部、２…画像データ生成部、４…システム制御部、５…操作部、６…表示部、７…被検体、１１…光源部、１２…光合波部、１３…光走査部、１４…導波部、１５…光照射部、２１…レート信号発生部、２２…送受信部、２３…電気音響変換部、２４…走査制御部、２５…信号処理部。
【図１】
0004643153.tif 000002
【図２】
0004643153.tif 000003
【図３】
0004643153.tif 000004
【図４】
0004643153.tif 000005
【図５】
0004643153.tif 000006
【図６】
0004643153.tif 000007
【図７】
0004643153.tif 000008
【図８】
0004643153.tif 000009
【図９】
0004643153.tif 000010
【図１０】
0004643153.tif 000011
【図１１】
0004643153.tif 000012
【図１２】
0004643153.tif 000013
【図１３】
0004643153.tif 000014
【図１４】
0004643153.tif 000015
【図１５】
0004643153.tif 000016
【図１６】
0004643153.tif 000017
【図１７】
0004643153.tif 000018
【図１８】
0004643153.tif 000019
【図１９】
0004643153.tif 000020